(57)【要約】 【課題】  筐体の回りに単数又は複数個の表示手段を有する立体的可動表示体を回転しても、表示手段の切換え前後の各表示面が遊技機のフロント部材の透明板から遠ざからないこと。【解決手段】  遊技機のフロント部材の裏側に配設されると共に、表示手段が前記フロント部材の透明板の後方に選択的に現れ得る立体的可動表示体を備えた遊技機用表示装置に於いて、前記立体的可動表示体は、被案内部或いは案内片を有する固定側部材に切換自在に支持され、また、前記表示手段は、立体的可動表示体側に設けられかつ往復運動可能な作動片、及び前記被案内部或いは案内片に係合しかつ該作動片と共働する立体的可動表示体側の案内片或いは被案内部を介して切り換ることを特徴とする遊技機用表示装置。【選択図】  図５
2007037833.tif 000002
【特許請求の範囲】
【請求項１】
遊技機のフロント部材の裏側に配設されると共に、表示手段が前記フロント部材の透明板の後方に選択的に現れ得る立体的可動表示体を備えた遊技機用表示装置に於いて、前記立体的可動表示体は、被案内部或いは案内片を有する固定側部材に切換自在に支持され、また、前記表示手段は、立体的可動表示体側に設けられかつ往復運動可能な作動片、及び前記被案内部或いは案内片に係合しかつ該作動片と共働する立体的可動表示体側の案内片或いは被案内部を介して切り換ることを特徴とする遊技機用表示装置。
【請求項２】
請求項１に於いて、作動片２２は、固定側部材に設けた縦方向の被係合部３４を介して上下方向へ直線移動することを特徴とする遊技機用表示装置。
【請求項３】
請求項１又は請求項２に於いて、表示手段の切換時、作動片２２は直線状被係合部３４の一方辺から他方辺へ移動すると共に、立体的可動表示体側の案内片或いは被案内部は、作動片の軌跡と交差する方向へ後退ないし前進することを特徴とする遊技機用表示装置。
【請求項４】
請求項１に於いて、固定側部材の被案内部と案内片は、立体的可動表示体の表示面が透明板に正対するように該立体的可動表示体の回転範囲を規制する機能を有することを特徴とする遊技機用表示装置。
【請求項５】
請求項１に於いて、立体的可動表示体の筐体は、複数個の表示手段を取付けための開口部を有し、一つの開口部には第１表示手段が取付けられ、一方、他の第２開口部には、前記第１表示手段の表示面とは外観上異なる表示面を有する第２表示手段が取付けられていることを特徴とする遊技機用表示装置。
【請求項６】
遊技機のフロント部材の裏側に配設されると共に、表示手段が前記フロント部材の透明板の後方に選択的に現れ得る立体的可動表示体を備えた遊技機用表示装置に於いて、前記立体的可動表示体は、被案内部或いは案内片を有する固定側部材に切換自在に支持され、また、前記表示手段は、立体的可動表示体側に設けられかつ駆動部の駆動力により往復運動可能な作動片、及び前記被案内部或いは案内片に係合しかつ該作動片と共働する立体的可動表示体側の案内片或いは被案内部を介して切り換ることを特徴とする遊技機用表示装置。
【請求項７】
請求項６に於いて、作動片は、固定側部材に配設されている駆動部４０の駆動力により、かつ、固定側部材に設けた縦方向の被係合部３４を介して上下方向へ直線移動することを特徴とする遊技機用表示装置。
【請求項８】
請求項７に於いて、駆動部の駆動モータは、単数又は複数個のいずれかであることを特徴とする遊技機用表示装置。
【請求項９】
請求項６に於いて、表示装置は、立体的可動表示体の回転位置を検出する検出手段と、該検出手段が検知した検出信号に基づき駆動部を制御する制御部とを備えていることを特徴とする遊技機用表示装置。
【請求項１０】
請求項６乃至請求項９のいずれかに於いて、駆動部は、駆動モータと、該駆動モータの駆動力により作動すると共に、検出手段用のインデックス或いは磁石を備えた同期手段を有することを特徴とする遊技機用表示装置。
【請求項１１】
遊技機のフロント部材の裏側に配設されると共に、表示手段が前記フロント部材の透明板の後方に選択的に現れ得る立体的可動表示体を備えた遊技機用表示装置に於いて、前記立体的可動表示体は、被案内部或いは案内片を有する固定側部材に切換自在に支持され、また、前記表示手段は、立体的可動表示体の筐体に装着され、かつ、切換え可能な表示面を有する帯状の電子式表示手段であり、また、該表示手段の前記表示面は、立体的可動表示体側に設けられかつ往復運動可能な作動片、及び前記被案内部或いは案内片に係合しかつ該作動片と共働する立体的可動表示体側の案内片或いは被案内部を介して切り換ることを特徴とする遊技機用表示装置。
【請求項１２】
請求項１１に於いて、作動片は、固定側部材に設けた縦方向の被係合部３４を介して上下方向へ直線移動し、また、電子式表示手段は、「ＥＬ素子シート部材」であり、所定幅、所定長さの可撓性のＥＬ素子シートと、該ＥＬ素子シートの壁面に設けられたシート状の形状保持板とから成ることを特徴とする遊技機用表示装置。
【発明の詳細な説明】
【技術分野】
【０００１】
本発明は、パチンコ機、スロットマシン等と称される遊技機用表示装置に関する。
【背景技術】
【０００２】
特許文献１及び特許文献２（図５乃至図７）にそれぞれ記載されている遊技機には、本願発明と同様に、複数個の表示装置がユニット状に係合している。ここでは、フラット面又は曲面を有する電子式表示器、機械式な回転ドラムを有するスロットマシン、回転板を有する電子式又は機械式表示装置、帯状の電子式又は機械式表示装置等を、便宜上、「表示手段」という。
【０００３】
さて、特許文献の立体的可動表示体は、例えば正面側にマトリックス状の回転ドラムを有する第１表示手段が設けられ、また、平面側に第１表示手段と異なる種類の第２表示手段が設けられ、背面側に第１及び第２表示手段と異なる種類の第３表示手段がそれぞれ設けられている。
【０００４】
したがって、立体的可動表示体の回りに遊技者の視覚に訴える複数個のゲーム実行用表示手段が一体的に結合しているので、駆動モータの駆動力により、立体的可動表示体を所定角度（例えば９０度）回転させることにより、第１表示手段から第２表示手段へ、又は第２表示手段から第３表示手段へと切換ることができるという利点がある。
それ故に、特許文献の立体的可動表示体は、例えばパチンコ機のフロント部材（遊技枠を意味する）のベース板の開口を介して各表示手段の表示面がそれぞれ選択的に現れるようにベース板の裏側に回動自在に配設されている。
【０００５】
ところで、図２１は、従来技術の問題点（立体的可動表示体１の回転可能性）を示す概略説明図である。従来の立体的可動表示体１は、第１表示手段２、第２表示手段３、第３表示手段４の各表示面２ａ、３ａ、４ａが、遊技機のフロント部材５のガラス板５ａに対して所要空間６を設定して配設する必要がある。
【０００６】
仮に、図２１で示すように、立体的可動表示体の中心部に設けられた固定軸（位置が変わらない中心軸）７とガラス板５ａとの間に十分な空間６を設定しないで、フロント部材５の裏側に立体的可動表示体１を配設すると、仮想線の矢印８で示すように、立体的可動表示体１が固定軸７を支点に時計方向に回転することから、第１表示手段２の縁部がガラス板５ａに衝突、或いは接触する。
【０００７】
そこで、この問題点を解消するために立体的可動表示体１の固定軸７をガラス板５ａから遠ざけると、今度は、立体的可動表示体１の各表示面２ａ、３ａ、４ａがガラス板５ａから著しく離れてしまうという問題点が生じる。
【０００８】
この問題点は、表示手段２，３，４のいずれか一つが立体的可動表示体１の半径に相当する寸法（幅若しくは厚み）を有しない場合に顕著である。けだし、立体的可動表示体１は、固定軸７を中心に回転するからである。
【０００９】
そこで、現在、表示手段の単数又は複数の表示面が角形の場合（例えば液晶画面、矩形状又は帯状のワイド画面など）の立体的可動表示体を回転しても、筐体の縁部がガラス板に衝突、或いは接触しないと共に、表示手段の切換え前の表示面と切換え後の表示面とが、ガラス板から著しく離れない遊技機用表示装置の出現が望まれている。
【特許文献１】特開２００４−１８８１５９号公報
【特許文献２】特開２００４−２９０２２１号公報
【発明の開示】
【発明が解決しようとする課題】
【００１０】
（１）筐体の回りに単数又は複数個の表示手段を有する立体的可動表示体を回転しても（表示面を交互に切換えても）、表示手段の各表示面が遊技機のフロント部材の透明板から遠ざからないこと。具体的には、立体的可動表示体の回転中、その筐体の縁部が表示装置の固定側部材の先端面から極力突出しないこと。
（２）簡単かつ合理的な機構により、（１）の目的を達成することができること。
（３）例えば遊技機の表示装置（通称、「新台の入れ替え」）を変換したい場合に、手動又は駆動モータの駆動力により、立体的可動表示体の一つの表示手段を他の表示手段に切り換えるだけで、簡単に新台の入れ替え効果を達成することができること。
（４）例えばゲーム中の場合には、駆動モータの駆動力により、自動的に表示手段を切り換えることができること。特に自動的に切り換えた表示手段の各表示面が遊技者に対して正対すること。
（５）実施例によっては、立体的可動表示体の筐体に帯状の表示手段を簡単に取付けることができると共に、連続する複数個の表示面を有効的に利用することができること。
（６）実施例によっては、立体的可動表示体が上下方向にバランス良くスムースに回転すること。
【課題を解決するための手段】
【００１１】
本発明の遊技機用表示装置は、遊技機のフロント部材の裏側に配設されると共に、表示手段が前記フロント部材の透明板の後方に選択的に現れ得る立体的可動表示体を備えた遊技機用表示装置に於いて、前記立体的可動表示体は、被案内部或いは案内片を有する固定側部材に切換自在に支持され、また、前記表示手段は、立体的可動表示体側に設けられかつ往復運動可能な作動片、及び前記被案内部或いは案内片に係合しかつ該作動片と共働する立体的可動表示体側の案内片或いは被案内部を介して切り換ることを特徴とする。
【００１２】
また、本発明の遊技機用表示装置は、遊技機のフロント部材の裏側に配設されると共に、表示手段が前記フロント部材の透明板の後方に選択的に現れ得る立体的可動表示体を備えた遊技機用表示装置に於いて、前記立体的可動表示体は、被案内部或いは案内片を有する固定側部材に切換自在に支持され、また、前記表示手段は、立体的可動表示体側に設けられかつ駆動部の駆動力により往復運動可能な作動片、及び前記被案内部或いは案内片に係合しかつ該作動片と共働する立体的可動表示体側の案内片或いは被案内部を介して切り換ることを特徴とする。
【００１３】
さらに、本発明の遊技機用表示装置は、遊技機のフロント部材の裏側に配設されると共に、表示手段が前記フロント部材の透明板の後方に選択的に現れ得る立体的可動表示体を備えた遊技機用表示装置に於いて、前記立体的可動表示体は、被案内部或いは案内片を有する固定側部材に切換自在に支持され、また、前記表示手段は、立体的可動表示体の筐体に装着され、かつ、切換え可能な表示面を有する帯状の電子式表示手段であり、また、該表示手段の前記表示面は、立体的可動表示体側に設けられかつ往復運動可能な作動片、及び前記被案内部或いは案内片に係合しかつ該作動片と共働する立体的可動表示体側の案内片或いは被案内部を介して切り換ることを特徴とする。
【００１４】
ここで、「立体的可動表示体」とは、外観及び機能上、表示装置が同種か異なる種類か否かを問わず、単数又は複数個の表示装置用の一つの筐体が回転すると、遊技者の視覚に訴えるための表示面が繰り返し切り換る表示装置をいう。
【００１５】
そして、前記筐体の回転は、固定側部材と係合する可動の案内手段（例えば案内片或いは被案内部）を介して所定範囲の角度（例えば６０度）内で回ることを意味する。したがって、筐体が固定軸を介して３６０度回転可能なもの（従来技術）は除外される。
また、「表示手段」とは、フラット面又は曲面を有する電子式表示器、機械式な回転ドラムを有するスロットマシン、回転板を有する電子式又は機械式表示装置、帯状の電子式又は機械式表示装置をいう。
【発明の効果】
【００１６】
（１）固定軸を用いないので、立体的可動表示体を回転しても、表示手段の各表示面が遊技機のフロント部材の透明板から遠ざからない。具体的には、立体的可動表示体の回転中、その筐体の縁部が表示装置の固定側部材の先端面から極力突出しない。
（２）往復運動可能な作動片と、該作動片と共働する案内手段（オス側の案内片とメス側の被案内部）を用いたので、簡単かつ合理的な機構により、（１）の目的を達成することができる。
（３）例えば遊技機の表示装置（通称、「新台の入れ替え」）を変換したい場合に、手動又は駆動モータの駆動力により、立体的可動表示体の一つの表示手段を他の表示手段に切り換えるだけで、簡単に新台の入れ替え効果を達成することができる。
（４）例えば遊技機に於いて、ゲーム中の場合には、単数又は複数個の駆動モータの駆動力により、自動的に表示手段を切り換えることができる。特に、固体部材側（又は立体的可動表示体）の被案内部と立体的可動表示体（又は固体部材側）の案内片は、立体的可動表示体の各表示面が透明板に正対するように立体的可動表示体の回転範囲を規制することができる。
（５）実施例によっては、立体的可動表示体の筐体に一つ帯状の表示手段を簡単に取付け、連続的な複数個の表示面を有効的に利用することができることである。
（６）実施例によっては、同期手段（螺杆状の駆動軸又は同期軸・同期ベルト）を備えているので、立体的可動表示体が上下方向にバランス良くスムースに回転する。
【発明を実施するための最良の形態】
【００１７】
以下、図１乃至図１２に示す本発明を実施するための最良の形態（第１実施例）により説明する。
【００１８】
（１）発明の実施の環境
図１は、発明の実施形態の一例を示す概略説明図である。図１に於いて、１１はフロント部材、表示装置等を有するパチンコ機である。１２は「遊技枠」と称されるフロント部材で、このフロント部材１２は、施錠可能な開閉枠１３、該開閉枠に設けられた透明板（例えばガラス板）１４、該透明板の後方に所要間隙を有して設けられた矩形状ベース板１５等を備えている。
【００１９】
本発明の遊技機用表示装置Ｘは、立体的可動表示体（説明の便宜上、図２１と同一の符号を用いる）１の各表示手段２，３の各表示面２ａ，３ａが前記ベース板１５に形成した開口１６から見えるようにベース板１５の裏側に配設（直付け装着も含む）される。本発明に関係のないパチンコ機Ｘの細部的説明は割愛する。
【００２０】
（２）表示手段、表示面、立体的可動表示体
本発明の要部に関する用語を説明する。表示手段２，３及び立体的可動表示体１の各用語は、従来技術の説明の用語と同一である。したがって、本発明の「表示手段」は、ゲームに関する電子式又は機械式表示装置が全て含まれる。
また、本発明の「表示面」には、外観上又は機能上如何を問わず、同一又は異なる種類の表示面が含まれる。換言すれば、第１表示手段２から第２表示手段３へと表示面２ａ，３ａを切り換えた場合に、当該表示面３ａが切り換え前の表示面２ａと同一の場合（例えば互いに液晶画面、互いに回転ドラム画面）もあれば、異なる場合（例えば回転ドラム画面に対して液晶画面）もある。
【００２１】
また、表示手段２，３の少なくとも一つはゲームを実行するために利用され、他の一つはゲームに関する情報を表示するために利用される場合も有り得る。全ての表示面を「ゲームステージ」として利用する必要はない。本実施例では、全ての表示面を「ゲームステージ」として利用し、かつ、複数個の異なる（独立・別個）の表示手段を筐体にユニット状に組み込んでいる（一例）。しかし、立体的可動表示体は、実施例によっては、一つの帯状表示手段を利用して複数個の表示面を連続的に設定する。
【００２２】
さらに、立体的可動表示体は、手動又は駆動モータの駆動力により、上下方向へ直線往復運動する作動片及び該作動片と共働して横方向（作動片の軌跡と交差する方向）へ後退ないし前進する案内手段（案内片或いは被案内部）により第１表示手段から第２表示手段へ、又は第２表示手段から第１表示手段へと繰り返し切り換る。これにより、透明板１４の後方に位置するベース板１５の開口１６を介して各表示手段２，３の表示面２ａ，３ａが遊技者に正対するように選択的に現れる。
【００２３】
（３）第１実施例
以上の説明を前提にして本発明の第１実施例を詳細に説明する。なお、第１実施例の「表示手段自体」及び「表示面自体」は新規事項が存在しないので、機能上の詳細な説明を割愛する。
【００２４】
まず、図２（ａ）は立体的可動表示体１の第１表示手段２が遊技者に正対した正面図である。また、図２（ｂ）は前記（ａ）を基準にした平面図である。これらの図から明らかなように、第１表示手段２の第１表示面２ａは、マトリックス状に配設された複数個の回転ドラム２１の外周面である。この実施例では、立体的可動表示体１の筐体２０は、ケース状の固定側部材３１内に上下方向に切換自在に支持されている。また、前記第１表示面２ａ（回転ドラムの周面）は、固定側部材３１の先端面３１ａから突出していない。なお、表示面２ａ，３ａを固定側部材３１の先端面３１ａから多少突出させた場合には、突出している分、表示面は、ベース板１５の開口１６を介して透明板１４に接近する（図示しないシンボルが見え易くなる）。
【００２５】
次に、主要部の構成を説明する。固定側部材３１は、立体的可動表示体１に対しては支持部材に相当する。図３で示すように、本実施例の固定側部材３１は、端部を適宜に折り曲げた複数枚の支持板をケース状に組み合わせて構成されている。ケース状の固定側部材３１の前面は開口している。
【００２６】
図２又は図３を基準にすると、３２は左右の支持板（対向支持壁）、３３は上下の支持板（対向支持壁）である。
まず、前記左右の支持板３２の手前側には、固定側部材３１の縦の先端面３１ａに沿って上下方向の直線状（直線のみならず、多少曲線状も含む）の被係合部３４がそれぞれ形成されている。
【００２７】
左右一対の被係合部３４には、立体的可動表示体１側に設けられピン状の作動片２２が係合している。左右の作動片２２は、表示手段２，３の切換時、被係合部３４の一方（上方）３４ａから他方（下方）３４ｂへと移動可能である。
【００２８】
本実施例では、被係合部（垂直案内長孔）３４は、垂直なので、作動片２２は、図４で示すように、例えば固定側部材３１の支持板３３上に固定したハット型形状取付け板３９を介して配設された左右一組の駆動部４０の駆動力により、被係合部３４内を上下方向へ直線往復運動する。
【００２９】
この被係合部３４は、実施例の垂直案内長孔の他、図示しない垂直案内溝であっても良い。また、設計如何によっては、被係合部３４に係合せず、例えば作動片２２は駆動部４０の動力により対向支持部３２の内壁面に沿って垂直移動する連動片（図示しない）を介して直線状に往復動可能である。
【００３０】
次に、左右の支持板３２の略中央部には、水平状態に切欠された左右一対の被案内部３５或いは案内片２３がそれぞれ形成されている。これらの被案内部３５或いは案内片２３は、立体的可動表示体１の回転範囲を規制する機能を有する。
【００３１】
本実施例では、支持板３２に被案内部（水平案内長孔、水平な窓）３５を形成している。被案内部３５は、上下方向の直線状の被係合部３４に交差するように該被係合部３４よりも後方の適宜部位に形成されている。
【００３２】
付言すれば、表示画面２ａ，３ａの切り換え時、作動片２２は、左右の支持板３２の垂直案内長孔３４を上下方向へ直線往復運動する。一方、案内片２３は、左右の支持板３２の水平案内長孔３５を作動片と共働して横方向へ後退ないし前進する。
【００３３】
本実施例では、立体的可動表示体１側のピン状作動片２２及び突起状案内片２３が、固定側部材３１の縦・横の長孔３４、３５にそれぞれスライド自在に係合している。
【００３４】
ところで、本実施例の案内片２３は、先端部にガイドローラを備えていることから、図８で示すように、被案内部３５の上辺には補助的な案内板３８を添設している。また、被案内部３５の下辺は、厚みを持たせるために外側に折り曲げている。
【００３５】
前述したように、左右の案内片２３は、表示手段２，３の切換時、左右の被案内部分３５内でそれぞれ作動片２２の軌跡と交差する方向へ後退ないし前進する。
【００３６】
ここで、作動片２２及び案内片２３の機能について付言する。作動片２２は、立体的可動表示体１を固定側部材３１の一端部側から他端部側へ引っ張る機能を有し、一方、複数の案内片２３は、立体的可動表示体１の各表示面２ａ，３ａが透明板１４に正対するように該立体的可動表示体の回転範囲を規制する機能を有する。
【００３７】
次に、図３（ｂ）、図４（ｂ）、図５（ｂ）等を参照にして、立体的可動表示体１の筐体２０の一例を説明する。立体的可動表示体１の筐体２０は、回転方向の複数個の側壁部２４にそれぞれ表示面２ａ，３ａを有すると共に、左右の対向側壁部２５は６辺を有する同一形状である。
【００３８】
ここで、図４（ｂ）を参照にして、筐体２０の側壁部２５の形状を説明する。図４（ｂ）に於いて、Ｌ１は一番短い辺を通る仮想の水平線である。Ｌ２は作動片２２及び案内片２３を通る仮想の斜め線である。このＬ１及びＬ２が交わった鋭角は６０度である。Ｌ２は二番目に短い辺とこれに対向する辺に交差している。しかして、一つ表示面２ａと他の表示面３ａは、Ｌ２を基準にすると「線対称」である。そして、表示面２ａ，３ａ側の辺は、略同一の長さである。もちろん、側壁部２５の形状は、任意の６辺形状に形成することができる。また、６辺形状の角の部分をアール（曲線）形状にしても良い（例えば扇形状）。
【００３９】
本実施例では、側壁部２５の形状は、例えばダイヤモンドを一側面から見た場合に於いて、キューレット部分を水平にカットした場合の形状に相当する。
【００４０】
ところで、筐体２０側壁部２５には、作動片２２及び案内片２３がそれぞれ設けられているから、側壁部２５は、固定側部材３１の左右の支持部３２の内壁面に対向する。
【００４１】
また、本実施例では、筐体２０は、複数個の表示手段を取付けための開口部を有し、一つの第１開口部２７には第１表示手段が取付けられ、一方、他の第２開口部２８には、前記第１表示手段の表示面とは外観上異なる表示面を有する第２表示手段が取付けられている。
【００４２】
望ましくは、側面に形成された一つの開口部２７と、この開口部２７と交差する他の開口部２８の大きさは、略同一である。
【００４３】
本実施例では、一つの開口部２７には、表示面２ａが曲面状の回転ドラム型第１表示手段２が組み込まれ、一方、他の開口部２８には、表示面３ａが垂直面状の液晶型第２表示手段３がそれぞれ組み込まれている。
【００４４】
さらに、本発明の限定要件ではないが、第１表示手段（第１ステージ）２と第２表示手段（第２ステージ）３との間の側壁２０ａに、表示面が弧状又はフラットの横長表示手段（第３ステージ）を設けることも可能である。
【００４５】
本実施例の立体的可動表示体１は、固定側部材３１に配設された単数又は複数の駆動部４０の駆動モータの駆動力により、繰り返し切り換ることが可能である。
【００４６】
（４）駆動部４０
駆動部４０は、ゲーム中に表示手段を自動的に切り換えるという発明の目的との関係で、本発明の限定要件となる。そこで、図８を参照にして駆動部４０の一例を説明する。なお、左右同一なので、一方側の構成を説明する。
【００４７】
４１は水平の取付け板３９を介して固定側部材３１の上部に配設された同期用駆動モータ、４２は駆動モータの出力軸に連結された同期用の螺杆状駆動軸、４３は駆動軸に螺合する筒状の螺合体である。前記螺合体４３の前壁には、軸受け４４が設けられている。前述した作動片２２は、固定側部材３１の被係合部３４を介して前記軸受け４４に支持されている。その他の細部的事項（支持板３２に縦方向に固定される案内レール４８ａ、駆動軸用軸受け４８ｂ、継手４８ｃ等）の説明は割愛する。
【００４８】
（５）検出手段
立体的可動表示体１の回転位置を検出するための第１・第２の検出手段４５，４６は、駆動部４０側の所要箇所にそれぞれ配設されている。図７を参照にすると、４５は螺合体４３の後壁に設けたインデックス４７に対する一方（上方）の第１検出手段（センサー）、４６は他方（下方）の第２検出手段（センサー）である。
【００４９】
これらの検出手段４５，４６も、取付け板を介して固定側部材３１の支持板３２に適宜に取付けられている。検出手段４５，４６は、ホールＩＣ原理を利用したもの、発光素子と受光素子を利用してもの等が適宜に採用され得る。
【００５０】
（６）駆動部用の電源回路
図１２を参照にして電源回路５０を説明する。電源回路５０は、広義では、電源、該電源からの電流により駆動モータ４１を制御する制御部５１、駆動モータ４１の回転位置角を検出する検出手段４５，４６等を含む。
【００５１】
しかして、前記制御部５１は、駆動モータ４１に対して命令や実行（起動、停止）を制御すれば十分であるから、該電源回路５０を狭く解釈した場合には、制御部、駆動モータ等は含まず、図示しない商業用電源、充電可能なバッテリー、昇圧回路等を意味する。本発明では、電源回路の構成を限定するものではない。
【００５２】
さて、図１２に於いて、５１は遊技機１１又は表示装置Ｘに設置された制御部（マイクロコンピュータ）、４９は交流電源、５２はファィル装置、５３はスイッチング回路、４１は駆動モータ、４５は第１検出手段、４６は第２検出手段、ａは検出手段４５，４６がそれぞれ螺合体４３のインデックス或いは磁石４７の位置（立体的可動表示体１の回転位置）を検出した検出信号である。
【００５３】
（７）表示面の切り換え
ここで、図９乃至図１１を参照にした表示手段２，３の自動切換えについて説明する。図９（ａ）は、遊技者に第１表示手段２の表示面２ａが正対している状態を示す。図９（ｂ）は、作動片２２が被係合部３４の上方に位置している状態を示す。作動片２２が初期位置の時、図９（ｂ）で示すように、案内片２３は被案内部３５内の前方に係止された状態で位置している。図９（ｃ）は、立体的可動表示体１の表示面２ａが垂直状態であるのに対して、他の表示面３ａが斜め（遊技者に見えない）状態であることを示している。
【００５４】
今、図９の状態に於いて、第１表示手段２で複数個のシンボルを利用したスロットマシンゲームが実行され、該ゲームに於いて、所定の条件が満たされた時、駆動モータ４１が起動する。
【００５５】
そこで、駆動モータ４１が起動すると、垂直の駆動軸４２が回転するので、螺合体４３は第１検出手段４５の位置（上方）から第２検出手段４６の方向へと移動を開始する。この時、螺合体４３の移動と共に作動片２２も被係合部３４を直線移動する。
【００５６】
図１０（ａ）、（ｂ）、（ｃ）は、表示手段２が回転しながら表示手段３に切り換る中途状態を示す。この中途状態では、例えば側面２０ａにシート状の第３表示手段４を設けている実施例の場合には、横長の第３表示手段４が遊技者に正対し、かつ、第１表示手段２及び第２表示手段３も同時に見える。前述したように、本実施例では、作動片２２が被係合部３４の一方辺３４ａから他方辺３４ｂへ直線移動すると、単数又は複数の案内片２３は、被案内部３５内を作動片２２の軌跡と交差する方向へ後退ないし前進する。
【００５７】
第３表示手段４が遊技者に正対すると、図１０（ｂ）で示すように、案内片２３後退動すると、作動片２２は、中間地点に位置し、表示面２ａ，３ａそれぞれ斜めの状態になる。このように「作動片２２」と「案内片２３」は共働する。立体的可動表示体１が、作動片２２と案内片２３の共働により所定方向へと回転すると、第１表示手段２から第２表示手段３へと切り換って行く（逆の場合も同様）。
【００５８】
図１１（ａ）、（ｂ）、（ｃ）は、螺合体４３が第２検出手段４６まで移動した結果、第２検出手段４６がインデックス或いは磁石４７の位置を検出すると、制御部５１は位置検出信号ａを取得し、遊技者が第２表示手段３の表示面（液晶画面）３ａと正対した所で、タイミング良くスイッチング回路５３を「オフ」する。この時、作動片２２は下方に移行し、また、案内片２３は同時に前進している。そして、そこで、第２表示手段３のゲームが実行され得る。
【００５９】
なお、第２表示手段３のゲームが終わったならば、今度は駆動軸４２が逆方向に回転することから、図１１の状態から図９の状態へと表示手段が切り換る。逆の作動態様については説明を割愛する。
【００６０】
次に、本発明の他の実施例について説明する。なお、他の実施例に於いて、第１実施例と同一の構成部分には、同一又は同様の符号を付して重複する説明を省略する。また、細部的事項（プーリー、取付け片、固着具等）、発明の特定要件に関係のない新規事項の説明は割愛する。
【００６１】
図１３乃至図１７は、本発明の第２実施例である。第１実施例と主に異なる点は次のとおりである。
（Ａ）駆動部４０は１個である。この駆動部４０の駆動モータ４１は、例えば固定側部材３１を構成する平板状の取付け板３９の上面に横設されている。
（Ｂ）駆動部４０の駆動力は、固定側部材３１の上方の支持板（上壁部）３３及び左右の支持板（側壁部）３２にそれぞれ配設された同期手段４２を介して左右一対の作動片２２に伝達されている。
（Ｃ）同期手段４２は、駆動モータ４１の出力軸によって回転する駆動ベルト４２ａ、取付け板３９の上面に軸受け手段を介して横設軸架され、かつ、前記駆動ベルト４２ａによって回転する水平の同期軸４２ｂ、左右の支持板３２の外側にそれぞれ縦方向に張設され、かつ、前記同期軸４２ｂによって回転する左右一対の伝動ベルト４２ｃとから構成されている。
（Ｄ）伝動ベルト４２ｃと共働する左右の移動体（螺合体に相当）４３は、伝動ベルト４２ｃの適宜部位にそれぞれ固定されている。
（Ｅ）さらに、作動片２２は、図１４で示すように、やや幅広の被係合部３４をスライドするガイド筒２２ａを備えている。
（Ｆ）立体的可動表示体1の左右の側壁部２５は、多角形をベースにして弧状部分を有する任意形状に形成されている。
【００６２】
上記構成に於いて、図１３（ａ）は正面からの説明図、図１３（ｂ）は平面からの説明図。また図１４（ａ）は斜視図、図１４（ｂ）は立体的可動表示体の状態を示す斜視図。また図１５は右側面からの説明図である。
【００６３】
これらの図から明らかなように、作動片２２を、軸受４４を介して支持する移動体４３の初期位置は、被係合部３４の下方である。
【００６４】
したがって、図１６（ａ）は中途時における斜視図、図１６（ｂ）は中途時における立体的可動表示体１の状態を示す斜視図である。また図１７（ａ）は切り換えた場合における斜視図、図１７（ｂ）は切り換えた場合における立体的可動表示体１の状態を示す斜視図である。
【００６５】
立体的可動表示体１の表示面２ａを異なる種類の表示面３ａに切り換えた場合には、作動片２２はガイド筒２２ａに案内されながら被係合部３４の上方まで真っ直ぐに上昇する。
【００６６】
このように構成しても、本発明の第１実施例と同一の目的・効果を達成することができる。
【００６７】
図１８及び図１９は、表示装置Ｘ１の表示手段の第３実施例である。この表示手段は、立体的可動表示体の筐体に装着され、かつ、複数個の表示面が一連的に設けられた帯状の電子式表示手段５５である点が第１実施例と相違する。すなわち、電子式表示手段５５は、「ＥＬ素子シート部材」である。
【００６８】
しかして、本実施例の電子式表示手段５５は、所定幅、所定長さの可撓性のＥＬ素子シート５６と、該ＥＬ素子シート５６の内壁面と外壁面に設けられたシート状の形状保持板５７，５８とから成る。
【００６９】
そして、電子式表示手段５５の一方側には第１表示面２ｂ、他方側には第２表示面３ｂ、第１表示面２ｂと第２表示面３ｂの間の中央部には、第３表示面４ｂがそれぞれ長さ方向に連続的に設けられている。
【００７０】
また、筐体２０Ａは、電子式表示手段５５の形状に合わせて平面視アール部分を有する三角形状に適宜に設計変更されている。なお、ＥＬ素子シート５６は、透明の樹脂製封止材（高分子の樹脂材）で全体が圧着状態に包まれている。
【００７１】
上記のように構成すると、筐体２０Ａに対する電子式表示手段５５の装着が容易になると共に、本発明の第１実施例と同一の目的・効果を達成することができる。
【００７２】
なお、特に図示しないが、帯状の電子式表示手段（ＥＬ素子シート部材）５５を、複数枚に分割して筐体２０Ａにそれぞれ取付けた場合は、第1実施と同一となる。前述したように、本発明の立体的可動表示体の複数の表示面が、意匠及び機能上同一であるか否かを問わない。
【実施例】
【００７３】
本発明の実施の形態で示した実施例に関して、以下の事項を付言する。
【００７４】
（ａ）表示手段（表示装置）は、機械的な回転ドラム（第１表示手段）と液晶画面を有する電子表示器（第２表示手段）との組合せである。しかし、本発明の表示手段は、前述したように、多様な種類の機械的・電子的表示装置が含まれる。
【００７５】
（ｂ）実施例は複数個の表示面の全てをゲーム実行するために用いている。しかし、表示面の一つは、ゲームに関する情報を表示するために用いても良い。
【００７６】
（ｃ）表示面は、垂直面、曲面、回転ドラルの周面等を意味する。また、表示面が、円形又は多角形、帯状、回転ドラム状、球面状であるか否かを問わない。
【００７７】
（ｄ）表示面に付された、又は表示面に現れるシンボルは、配当や倍率に関する数字・記号・図形・模様・色彩などを含み、それぞれの表示面のシンボルは、ゲーム内容を勘案の上、適宜に設定することができる。また、本発明の限定要件ではないファイル装置のゲーム性も任意に設定して採用することができる。
【００７８】
（ｅ）駆動部は、構造を簡単にするために、第１実施例では、螺杆状の駆動軸及び該駆動軸に螺合して直線移動する螺合体が用いられている。しかして、駆動部の駆動力の伝達は、ベルト方式（第２実施例）、ギア方式、クランク方式、その他の方法でもよく、特に限定されるものではない。また、単数又は複数の駆動部４０は、固定側部材の上方に配設されているが、固定側部材の下方や側方に配設しても良く、配設箇所は限定されるものではない。
【００７９】
（ｆ）また、螺合体に設けられた検出手段用のインデックス或いは磁石は、特に実施例のものに限定されない。なお、螺合体４３の外周部の適宜箇所に直接又は間接的に磁石４７を固定した場合には、固定側部材３１の上下に取付けたセンサー用取付け片にホール素子４５，４６をそれぞれ固定する。このように構成すると、螺合体４３が上下方向に直線移動してホール素子４５，４６にそれぞれ対面した時は、磁石４７の「Ｎ極」の磁束を拾って制御部５１に螺合体４３の位置信号を出力する。
【００８０】
（ｇ）立体的可動表示体側の案内片２３と固定側部材３１に形成した被案内部３５との案内（係合）関係は、逆の態様でも良い。すなわち、特に図示しないが、被案内部３５を立体的可動表示体側１に設け、一方、案内片２３を固定側部材３１に取付ける構成も、本発明の実施例である。
【００８１】
また案内片２３は「複数」でも良い。もちろん、案内片２３の形状については、棒状、板状、球状など任意に選択し得る。
【００８２】
（ｈ）実施例では、パチンコ機１１のフロント部材に対して配設した。しかし、スロットマシンや他の遊技機用の表示装置Ｘ１への利用も可能である。図２０は、本発明の表示装置Ｘ１をスロットマシン１１Ａのフロント部材１２の裏側（筐体内）に配設した使用例である。この例では、表示装置Ｘ１はサブゲームのとして利用されるが、表示装置Ｘ１を単独でメインゲーム用の表示装置として用いることも可能である、したがって、種々の利用が可能である。
【産業上の利用可能性】
【００８３】
本発明は、主にゲーム機の業界で利用される。
【図面の簡単な説明】
【００８４】
図１乃至図１２は本発明の第１実施例を示す各説明図、図１３乃至図１７は本発明の第２実施例を示す各説明図、図１８及び図１９は本発明の第３実施例を示す各説明図。
【図１】発明の実施の環境を示す概略説明図（パチンコ機に適用した例）。
【図２】（ａ）正面からの説明図、（ｂ）平面からの説明図。
【図３】（ａ）斜視図、（ｂ）立体的可動表示体の状態を示す斜視図。
【図４】（ａ）右側面からの説明図、（ｂ）側壁部の形状に関する説明図。
【図５】（ａ）中途時における斜視図、（ｂ）立体的可動表示体の状態を示す斜視図。
【図６】（ａ）切り換えた場合における斜視図、（ｂ）立体的可動表示体の状態を示す斜視図。
【図７】右側面からの説明図。
【図８】主要部の分解斜視図。
【図９】（ａ）、（ｂ）、（ｃ）は初期状態の各説明図。
【図１０】（ａ）、（ｂ）、（ｃ）は中途状態の各説明図。
【図１１】（ａ）、（ｂ）、（ｃ）は表示手段が切り換った状態の各説明図。
【図１２】電源回路の概略説明図。
【図１３】（ａ）正面からの説明図、（ｂ）平面からの説明図。
【図１４】（ａ）斜視図、（ｂ）立体的可動表示体の状態を示す斜視図。
【図１５】右側面からの説明図。
【図１６】（ａ）中途時における斜視図、（ｂ）立体的可動表示体の状態を示す斜視図。
【図１７】（ａ）切り換えた場合における斜視図、（ｂ）立体的可動表示体の状態を示す斜視図。
【図１８】第３実施例の立体的可動表示体の斜視図。
【図１９】第３実施例の立体的可動表示体の分解斜視図。
【図２０】他の使用例（例えばスロットマシン）に適用した斜視図。
【図２１】従来技術の問題点を指摘する概略説明図。
【符号の説明】
【００８５】
Ｘ，Ｘ１…表示装置、1…立体的可動表示体、２…（第１）表示手段、２ａ，２ｂ…第１表示面、３…（第２）表示手段、３ａ…第２表示面、４…第３表示手段、１１，１１Ａ…遊技機、１２…フロント部材、１４…透明板、１５…ベース板、１６…開口、２０，２０Ａ…筐体、２１…回転ドラム、２２…作動片、２２ａ…ガイド筒、２３…案内片、２４…回転方向の側壁部、２５…左右の側壁部、２７，２８…開口部、３１…固定側部材、３２，３３…支持板、３４…被係合部、３４ａ…一方辺、３４ｂ…他方辺、３５…被案内部、３９…取付け板、４０…駆動部、４１…駆動モータ、４２…駆動軸（同期手段）、４２ｂ…同期軸、４４…軸受け、４５，４６…検出手段、４７…インデックス或いは磁石、４９…電源、５０…電源回路、５１…制御部、５５…電子式表示手段。
【図１】
2007037833.tif 000003
【図２】
2007037833.tif 000004
【図３】
2007037833.tif 000005
【図４】
2007037833.tif 000006
【図５】
2007037833.tif 000007
【図６】
2007037833.tif 000008
【図７】
2007037833.tif 000009
【図８】
2007037833.tif 000010
【図９】
2007037833.tif 000011
【図１０】
2007037833.tif 000012
【図１１】
2007037833.tif 000013
【図１２】
2007037833.tif 000014
【図１３】
2007037833.tif 000015
【図１４】
2007037833.tif 000016
【図１５】
2007037833.tif 000017
【図１６】
2007037833.tif 000018
【図１７】
2007037833.tif 000019
【図１８】
2007037833.tif 000020
【図１９】
2007037833.tif 000021
【図２０】
2007037833.tif 000022
【図２１】
2007037833.tif 000023